(57)【要約】【課題】従来の収納物管理装置は個々の収納物に交信機能を持たせるために電池を設置しなければならず電池の寿命管理が煩雑であるし、交信機能を持たない場合には収納物の管理対象数量が多くなると登録の手間が煩雑である。【解決手段】収納物に電池が不要な交信機能を有する電波式タグを付け、収納物管理装置のカメラで収納物の外観写真を撮影し、識別管理番号と共にファイル情報として収納物管理装置の記憶部にあらかじめ設定したフォルダに登録・保管する。  探索対象とする収納物の探索をするには該当するフォルダの中からファイル情報としての収納物を画像や文字または音声、色コード入力で選び、収納物管理装置と探索対象とする収納物に付けられた電波式タグとの間で交信を開始する。使用者は収納物管理装置の指し示す電界強度が大きくなる方向へ移動して行けば収納物の収納場所を容易に探り出せる。このような機能を有する収納物管理システムを提供する。【選択図】              図１
2005145711.tif 000002
【特許請求の範囲】
【請求項１】
カメラ入力部（１）と情報処理部（２）と画面出力部（３）と電波送受信部（４）とからなる収納物管理装置（７）と収納物（５）と収納物（５）に付加した電波式タグ（６）とから構成され、上記情報処理部（２）はカメラ入力部（１）で撮影した収納物（５）の画像情報を情報処理部（２）に取り込むと同時に、収納物（５）に付加した電波式タグ（６）と電波式タグ（６）からの情報を電波で送受信する電波送受信部（４）を介して情報として情報処理部（２）へ取り込み、これらの取り込んだ情報を必要に応じて選択的に画面出力部（３）に表示させる機能を持つことを特徴とする収納物管理システム。
【請求項２】
電波送受信部（４）と収納物（５）に付加した電波式タグ（６）との間で交信する電波の電界強度の強弱を画面出力部（３）に表示させ、本発明の使用者はその電界強度が最大になる方向へ移動することにより探索物を探索できることを特徴とする特許請求の範囲第１項記載の収納物管理システム。
【請求項３】
情報処理部（２）に登録対象とする収納物（５）のファイル情報を登録するとき登録対象となる収納物（５）を画面出力部（３）に画像表示させると同時に文字、音声、色などの付加情報をつけることにより収納物を登録させ、情報処理部（２）に格納したファイル情報に基づき探索するとき探索対象となる収納物（５）を画面出力部（３）に表示させると同時に文字、音声、色などの情報から収納物を探索させるようにしたことを特徴とする特許請求の範囲第１項記載の収納物管理システム。
【発明の詳細な説明】
【技術分野】
【０００１】  本発明は、無線で交信可能な識別標識を収納物に付けておくことにより、交信可能範囲内に収納された収納物の探索を容易にする機器に関するものである。
【背景技術】
【０００２】  従来の収納物管理装置は管理対象とする個々の収納物に発信機能を有する電波式タグを付けなければならない、そこで使用される電池の寿命管理が煩雑である。
また、収納物管理装置と管理対象とする個々の収納物との間に、交信機能を有しない場合には収納物の品名登録・収納場所登録や探索に文字入力を欠かせず、またその収納物の数が多くなると手間や管理が困難であった。
本発明は以上の問題点を解決するために発明されたものである。
【発明の開示】
【発明が解決しようとする課題】
【０００３】  本発明は管理対象とする個々の収納物（５）の写真の画像を使用して探索する収納物を選択すれば、収納物管理装置（７）の電波送受信部（４）から発信する電波が収納物（５）に付加した電波式タグ（６）に届き、収納物管理装置（７）は電波式タグ（６）の情報を読み取り、電波送受信部（４）と電波式タグ（６）との交信を手掛かりに収納物（５）の探索を容易に可能とする収納物管理システムである。
【課題を解決するための手段】
【０００４】  本発明はかかる課題を解決すべくなされたものである。
即ち、請求項１  カメラ入力部（１）と情報処理部（２）と画面出力部（３）と電波送受信部（４）とからなる収納物管理装置（７）と収納物（５）に付加した電波式タグ（６）から構成され、上記情報処理部（２）はカメラ入力部（１）で撮影した収納物（５）の画像情報を取り込むと同時に、収納物（５）に付加した電波式タグ（６）の認識番号を電波送受信部（４）を介してファイル情報として取り込む、これらの取り込んだ情報を必要に応じて選択的に画面出力部（３）に表示させる機能を持つことを特徴とする収納物管理システムであるから日常生活において収納場所を忘れがちな家電品類、書籍類、装飾品類等に電波式タグ（６）をつけるとともにカメラ入力部（１）で撮影した画像情報を情報処理部（２）に入力しておき、探索したい収納物（５）を画面出力部（３）に表示させ探索対象であることを指定して、電波送受信部（４）と電波式タグ（６）との交信電波の電界強度の強弱を手掛かりに収納物（５）の探索を容易に可能とするものである。
また、請求項２  電波送受信部（４）と収納物（５）に付加した電波式タグ（６）との間で交信する電波の電界強度の強弱を画面出力部（３）に表示させるようにしたことを特徴とする特許請求の範囲第１項記載の収納物管理システムであるから、本発明の使用者は画面出力部（３）に表示させた電波送受信部（４）と電波式タグ（６）との交信電波の電界強度の強弱に従い、例えば交信電波が強くなる方向に向かって進めば、収納物（５）の探索を容易に可能とするものである。
また、探索対象となる収納物（５）を情報処理部（２）の記憶ファイルへ登録するとき、画面出力部（３）に写真画像を表示させると同時に文字、音声、色などの付加情報をつけることにより、収納物を探索させるようにしたことを特徴とする特許請求の範囲第１項記載の収納物管理システムであるから本発明の使用者は画面出力部（３）に表示させた画面だけでは、区別できないとき文字、音声、色などの付加情報にて収納物の登録及び探索を容易にすることができるものである。
【発明の効果】
【０００５】  本発明の収納物管理装置を使用することによって、管理対象とする収納物の登録・探索において画像または文字や音声、色情報などで容易に迅速に収納物の管理が可能になる。
【発明を実施するための最良の形態】
【０００６】  全体の構成を図１及び図２で、収納物管理装置が有すべき機能について図３のフローで、画面出力部に表示させるファイルの管理単位であるフォルダの一実施例を図４に説明する。
図１は、本発明の全体の構成を示しており管理対象とする収納物（５）に電波式タグ（６）を貼り付け、同時に収納物管理装置（７）のカメラ入力部（１）で外観写真を撮影する。
収納物管理装置（７）にはフォルダ画面を表示する画面出力部（３）があり、使用者の使い易い分類区分で例えば図４の如く事前にフォルダを設定しておく、このフォルダ機能は収納物の収納場所を登録、探索する時に有効になる。
図２は、収納物管理装置（７）の詳細なブロック図でデジタルカメラ入力手段（９）とカメラの画像だけでなく音声入力で前記フォルダに入力できる音声入力手段（１０）と文字でも入力できる携帯電話のキーボードのような文字入力手段（１１）と収納物を色で区別して収納することができ、例えば、その画面出力手段（１６）から収納物に適する色を選択することにより色コードにて入力できる色コード入力手段（１２）とこれら全ての入力手段を制御する入出力制御手段（１３）と収納物の情報処理（ＣＰＵ）である情報処理手段（１４）とデジタルカメラ入力手段（９）などで入力した画像や電波式タグの読み取り内容を整合して例えば図３のフォルダ画面のように収納物を分類して格納する情報記憶手段（１５）とそのフォルダの画面や収納物の画像を表示する画面出力手段（１６）と図１の収納物（５）に付加した電波式タグ（６）との電波による情報を受発信する電波受発信手段（１８）とその内容を情報として情報処理手段（１４）に送るデータ送受信制御手段（１７）と収納物の登録及び探索時に電波式タグ（６）との電波のやり取りを行うアンテナ部（１９）で構成したものである。
登録の手順の一例は下記の通りである。
（イ）管理対象とする収納物（５）に電波式タグ（６）を取付ける。
（ロ）画面出力部（３）において、図４のフォルダ画面からフォルダ名を指定する。
（ハ）収納物管理装置（７）のカメラ部（１）で管理対象とする収納物（５）の外観写真      を撮影する。
（ニ）指定したフォルダに、管理対象とする収納物（５）に付けた電波式タグ（６）の識      別管理番号と外観写真とをファイル情報として収納物管理装置（７）に登録・保管      する。
（ホ）カメラを使わない時または外観写真を撮影できない収納物を登録するには外観写真      の代わりに文字、音声、色などでファイル情報を登録することも可能である。
探索の手順の一例は下記の通りである。
（イ）画面出力部（３）において探索対象とする収納物が保管されているフォルダ名を選      ぶ。
（ロ）フォルダ名の中から探索対象とする収納物のファイル情報としての外観写真を選ぶ      。
（ハ）収納物管理装置（７）と探索対象とする収納物（５）に付けられた電波式タグ（６      ）との間で交信を開始する。
（ニ）使用者は収納物管理装置（７）の指し示す電界強度が大きくなる方向へ移動して行      けば収納物（５）の収納場所を容易に探り出せる。
【産業上の利用可能性】
【０００７】  本発明は単体機器としても電子機器（例えば携帯電話、電子辞書、デジタルカメラなど）の付加機能としても使用可能である。
カメラ機能付き携帯電話の付加機能とする場合には、収納物管理として電波式タグ（６）との交信機能を有する電波送受信部（４）を付加と、前記【０００６】で示した登録及び探索手順のソフトウエアを埋め込むことで実現できる。
【図面の簡単な説明】
【０００８】
【図１】収納物管理システムの全体構成を示した説明図である。
【図２】収納物管理装置の具体的な構成を示した説明図である。
【図３】収納物の登録・探索フローを示した説明図である。
【図４】収納物管理装置のフォルダ画面出力部の実施例を示した説明図である。
【符号の説明】
【０００９】  １．．．カメラ入力部
２．．．情報処理部
３．．．画面出力部
４．．．電波送受信部
５．．．管理対象の収納物
６．．．電波式タグ
７．．．収納物管理装置
８．．．収納物管理装置のフォルダ画面
９．．．デジタルカメラ入力手段
１０．．．音声入力手段
１１．．．文字入力手段
１２．．．色コード入力手段
１３．．．入出力制御手段
１４．．．情報処理手段
１５．．．情報記憶手段
１６．．．画面出力手段
１７．．．データ送受信制御手段
１８．．．電波受発信手段
１９．．．アンテナ部
【図１】
2005145711.tif 000003
【図２】
2005145711.tif 000004
【図３】
2005145711.tif 000005
【図４】
2005145711.tif 000006